(57)【要約】【課題】カードを容易に取り出すことができるイジェクト機構を備えているにも拘らず、コネクタの高さ、幅、長さをあまり大きくすることなく、且つ、部品点数も少なく、構造が簡単な手差しコネクタを提供する。【解決手段】カバー部材、ベース部材、カバー部材とベース部材とで形成されるカード収容空間、ベース部材に固定され、装着されるＩＣカードの対応する外部接点に電気的に接触する複数のコンタクト、及びＩＣカードをカード収容空間から取り外すためのイジェクト機構を備え、前記イジェクト機構は、カード挿抜方向に延在し、カード挿抜方向に移動可能なイジェクト・レバー、該イジェクト・レバーの一端において、イジェクト・レバーに対して直角に延在し、ＩＣカードの先端に当接し得るように形成されているイジェクト・アームを有するとともに、前記イジェクト・レバーの他端は、カード収容空間から突出している。【選択図】図６
2008277194.tif 000002
【特許請求の範囲】
【請求項１】
カバー部材、ベース部材、カバー部材とベース部材とで形成されるカード収容空間、それぞれの固定部を介してベース部材に固定され、それぞれの接点部が装着されるＩＣカードの対応する外部接点に電気的に接触する複数のコンタクト、及びＩＣカードをカード収容空間から取り外すためのイジェクト機構を備え、
前記イジェクト機構は、カード挿抜方向に延在し、カード挿抜方向に移動可能なイジェクト・レバー、該イジェクト・レバーの一端において、イジェクト・レバーに対して直角に延在し、ＩＣカードの先端に当接し得るように形成されているイジェクト・アームを有するとともに、前記イジェクト・レバーの他端は、カード収容空間から突出していることを特徴とする手差しコネクタ。
【請求項２】
前記イジェクト機構３０は、弾性部材により、カード挿入方向に付勢されていることを特徴とする請求項１に記載の手差しコネクタ。
【請求項３】
前記弾性部材は、前記イジェクト機構を構成する前記イジェクト・レバーに形成され、カード挿抜方向に延在しているガイド・スリット内に設けられていることを特徴とする請求項２に記載の手差しコネクタ。
【請求項４】
カバー部材、ベース部材、カバー部材とベース部材とで形成されるカード収容空間、それぞれの固定部を介してベース部材に固定され、それぞれの接点部が装着されるＩＣカードの対応する外部接点に電気的に接触する複数のコンタクト、及びＩＣカードをカード収容空間から取り外すためのイジェクト機構を備え、
前記イジェクト機構は、カード挿抜方向に延在し、カード挿抜方向に移動可能なイジェクト・レバー、該イジェクト・レバーの中間において、イジェクト・レバーに対して直角に延在し、ＩＣカードの傾斜面に当接し得るように形成されているイジェクト・アームを有するとともに、前記イジェクト・レバーの他端は、カード収容空間から突出していることを特徴とする手差しコネクタ。
【発明の詳細な説明】
【技術分野】
【０００１】
本発明は、手差しコネクタに関し、より詳細には、イジェクト機構を備える手差しコネクタに関する。
【背景技術】
【０００２】
従来、メモリカードなどのＩＣカード（以下、単に、「カード」ともいう。）を装着する手差しコネクタ（以下、単に、「コネクタ」ともいう。）が、特に携帯電話などのデジタル電子機器に広く採用されている。近年、カードが小型化、薄型化するにつれ、例えば、カードなどの交換時、コネクタから装着されているカードを取り出すことが非常に困難となってきている。
【０００３】
そのため、コネクタからカードを容易に取り出せるようにするために、例えば、特許文献１に開示されるようなプッシュ式コネクタや、特許文献２に開示されるようなトレイ式コネクタが提案されている。
【０００４】
【特許文献１】特開２００４−８７４８０号公報
【特許文献２】特開２００６−２５２８２４号公報
【発明の開示】
【発明が解決しようとする課題】
【０００５】
しかしながら、プッシュ式コネクタでは、装着されているカードがコネクタから飛び出さないようにロック機構を必要とし、部品点数が多く、構造も複雑となり、製造コストに影響を与える。また、トレイ式コネクタでは、トレイの底壁の厚さ分コネクタの高さが高くなり、その４周を囲む該周壁の厚さ分コネクタの幅や長さが大きくなる。
【０００６】
本発明の目的は、上記問題点に鑑み、カードを容易に取り出すことができるイジェクト機構を備えているにも拘らず、コネクタの低背化に寄与し、コネクタの幅や長さをあまり大きくすることなく、且つ、部品点数も少なく、構造が簡単であり、それにより製造コストの低減化を図ることが可能な手差しコネクタを提供することにある。
【課題を解決するための手段】
【０００７】
上記目的を達成するため、本発明に係る手差しコネクタは、カバー部材、ベース部材、カバー部材とベース部材とで形成されるカード収容空間、それぞれの固定部を介してベース部材に固定され、それぞれの接点部が装着されるＩＣカードの対応する外部接点に電気的に接触する複数のコンタクト、及びＩＣカードをカード収容空間から取り外すためのイジェクト機構を備え、前記イジェクト機構は、カード挿抜方向に延在し、カード挿抜方向に移動可能なイジェクト・レバー、該イジェクト・レバーの一端において、イジェクト・レバーに対して直角に延在し、ＩＣカードの先端に当接し得るように形成されているイジェクト・アームを有するとともに、前記イジェクト・レバーの他端は、カード収容空間から突出していることを特徴とする。
【０００８】
また、本発明に係る手差しコネクタのイジェクト機構３０は、弾性部材により、挿入方向に付勢されており、さらに、前記弾性部材は、前記イジェクト機構を構成する前記イジェクト・レバーに形成され、挿抜方向に延在しているガイド・スリット内に設けられていることが好ましい。
【発明の効果】
【０００９】
本発明に係る手差しコネクタは、カード挿抜方向に移動可能な概略Ｌ字形をなす単純な形状のイジェクト機構を備えることで、構造は簡単であり、製造が容易であるとともに、部品点数をわずか１つしか増やしていない。また、コネクタの高さ、幅または長さをそれほど大きくすることもない。したがって、製造時間が少なくて済み、製造コストも低減化できる。
【００１０】
さらに、イジェクト機構をカード挿入方向に付勢する弾性部材を設けることで、部品点数が１つ増加するが、イジェクト機構が自動的に当初位置に戻ることで、イジェクト機構またはコネクタあるいはコネクタが取り付けられる電子機器を傷めることがない。
【発明を実施するための最良の形態】
【００１１】
以下、添付される図１〜７を用いて、本発明に係る手差しコネクタの好ましい実施態様につき説明する。
【００１２】
図１〜３には、本発明の手差しコネクタに係る第１の実施例が、図４には、第２の実施例が、図５〜７には、第３の実施例が示されている。
【００１３】
（第１の実施例）
図１〜３に示されるように、本発明の第１の実施例に係る手差しコネクタ１は、概略、扁平な直方体をなし、カバー部材１０、ベース部材２０、イジェクト機構３０及び複数のコンタクト５０を備えている。手差しコネクタ１は、カバー部材１０と、ベース部材２０とで、メモリカードなどのＩＣカード１００（図５〜７参照）を収容するカード収容空間を形成するとともに、後方がカード挿入口５として開放されている。
【００１４】
カバー部材１０は、板金製であって、下方及び後方が開放されている筐体をなし、概略矩形状の上壁１１、該上壁１１から垂直方向下方に延在する左右の側壁及び前壁を含んでいる。
【００１５】
ベース部材２０は、電気的に絶縁性の合成樹脂性であって、上方及び後方が開放されている筐体をなし、概略矩形状の底壁２１、該上壁２１から垂直方向上方に延在する左右の側壁２２、２３及び前壁２４を含んでいる。上記したように、ベース部材２０は、カバー部材１０と重ね合わせることにより、メモリカードなどのＩＣカード１００を収容するカード収容空間を形成する。
【００１６】
本実施例では、ベース部材２０の底壁２１には、後端から前方に向けて後述するイジェクト機構３０のイジェクト・レバー３１の前後方向の移動を案内するガイド壁２５が延在している。ガイド壁２５は、右側壁２３に平行で、該右側壁２３との間隔がイジェクト・レバー３１の幅とほぼ同じくなるように設けられる。また、ガイド壁２５は、その前端と前壁２４との間隔がイジェクト・レバー３１の往復移動距離より若干長くなるように設けられている。さらに、該ガイド壁２５と右側壁２３との間であって、底壁２１後端には、イジェクト・レバー３１の抜けを防止するストッパ壁２６が設けられている。ストッパ壁２６には、イジェクト・レバー３１の操作部３３が貫通するスリット２７が形成されている。また、本実施例では、左側壁２２と前壁２４との交差部にカード１００の逆指しを防止する傾斜壁面２９が設けられている。該傾斜壁面２９は、後述する、イジェクト機構３０のイジェクト・レバー３１とイジェクト・アーム３２とが交差する部分に設けられてもよい（第４の実施例、図８、図９参照）。
【００１７】
カードの取り出しを助けるイジェクト機構３０は、本実施例では、概略、イジェクト・レバー３１及び該イジェクト・レバー３１と一体に形成されるイジェクト・アーム３２を含んでいる。該イジェクト機構３０は、図２及び３に示されるように、イジェクト・レバー３１とイジェクト・アーム３２とで上から見て概略Ｌ字形をなしている。
【００１８】
イジェクト・レバー３１には、段部３４が形成され、該段部３４から後方には、細長く延びる操作部３３が設けられている。操作部３３の長さは、イジェクト・レバー３１の前後方向（カード挿抜方向）の移動距離より若干長く設定されている。イジェクト・レバー３１は、ベース部材２０の右側壁２３に沿って前後方向（カード挿抜方向）に移動可能にベース部材２０の底壁２１に設けられたガイド壁２５と右側壁２３との間に配置される。
【００１９】
なお、本実施例では、イジェクト・レバー３１の前後方向（カード挿抜方向）の移動をガイド壁２５により案内しているが、該イジェクト・レバー３１の案内は、これに限られるものではない。例えば、イジェクト・レバー３１またはベース部材２０の底壁２１の一方に突起を設け、他方に該突起が嵌まり込む右側壁２３に平行な細長いスリットまたは溝を形成してイジェクト・レバー３１の前後方向の移動を案内してもよい（後述する、第３の実施例参照）。
【００２０】
イジェクト・アーム３２は、装着されるカード１００先端に当接することで、カード１００を装着位置から後方に移動させ、コネクタ１からカードを容易に取り外すことを可能にするための部材である。したがって、イジェクト・アーム３２は、イジェクト・レバー３１の前端に、イジェクト・レバー３１に対してほぼ直角をなし、カード収容空間内にまで延在するように設けられている。イジェクト・アーム３２は、また、イジェクト機構３０が、図３に示されるように、該イジェクト・アーム３２が前壁２４に当接した当初位置にあるとき、ベース部材２０の前壁２４の内壁面２４ａよりカード収容空間内に突出しないように、前壁２４に形成されている凹部２４ｂ内に位置する。
【００２１】
イジェクト機構３０は、図３に示される当初位置にあるとき、イジェクト・レバー３１の操作部３３の後端部がストッパ壁２６のスリット２７を貫通してコネクタ１のカード収容空間後端から突出するように、その全体の長さが設定される。また、イジェクト機構３０が、図３に示される当初位置にあるとき、イジェクト・レバー３１の段部３４とストッパ壁２６との間隔は、イジェクト・レバー３１の前後方向の移動距離とほぼ同じであるように設定される。言い換えれば、操作部３３を掴んで後方に引き出すことにより、イジェクト機構３０は、イジェクト・レバー３１の段部３４がストッパ壁２６に当接するまで、図３に示される当初位置から後方に移動可能である。
【００２２】
複数のコンタクト５０各々は、上記従来例と同様に、導電性金属から打ち抜き形成され、接点部、弾性変形部、固定部及び端末部を含んでいる。ベース部材２０の底壁２１の所定の位置に配置されている。各コンタクト５０は、本実施例では、該コンタクト５０の固定部がインサート成形によりベース部材２０の底壁２１内に埋め込まれることで、該底壁２１に固定されている。なお、コンタクト５０各々は、コンタクト５０の固定部が底壁２１に形成されている対応する溝に圧入されることで固定されてもよい。
【００２３】
次に、手差しコネクタ１へのカード１００の装着、取り外しについて簡単に説明する。図３に示されるように、イジェクタ機構３０は、当初位置にあり、この時、カード１００は、手差しコネクタ１内にカード挿入口５から挿入され得る。カード１００の先端がベース部材２０の前壁２４に当接するまでカード１００が手差しで挿入されることで、カード１００は、カード空間内に収容され、カード１００の装着は完了する。この時、カード１００の外部接点が対応するコンタクト５０に電気的に接触している。
【００２４】
カード１００をコネクタ１から取り外すときは、コネクタ１のカード収容空間後端から突出しているイジェクト機構３０の操作部３３後端を掴み、後方に引き出す。この時、イジェクト機構３０のイジェクト・アーム３２がカード１００の先端に当接しているので、カード１００もカード収容空間内から後方に引き出される。イジェクト・レバー３１の段部３４がストッパ壁２６に当接するまでイジェクト機構３０を引き出した後、カード１００の後端を掴み、カード１００を後方に引き出すことで、カード１００はコネクタ１から取外される。なお、カード１００の取り外し後、イジェクト機構３０は、当初位置に戻しておく。
【００２５】
（第２の実施例）
図４には、本発明の第２の実施例に係る手差しコネクタ１Ａが示されている。本実施例における手差しコネクタ１Ａは、上記第１の実施例のコネクタ１において、イジェクト・レバー３１の段部３４とベース部材２０のストッパ壁２６との間に圧縮コイルバネ３７が設けられていることを特徴とする。言い換えれば、本実施例における手差しコネクタ１Ａは、弾性部材としての圧縮コイルバネ３７が設けられている点でのみ第１の実施例のコネクタ１と相違し、その他の点は第１の実施例の構造と全く同じである。
【００２６】
弾性部材としての圧縮コイルバネ３７は、イジェクト機構３０を前方向（カード挿入方向）に付勢している。したがって、イジェクト機構３０を構成するイジェクト・アーム３２は、圧縮コイルバネ３７により、常に、ベース部材２０の前壁２４に当接するように付勢されている。
【００２７】
本実施例の手差しコネクタ１Ａは、圧縮コイルバネ３７が設けられていることにより、コネクタ１Ａに装着されているカード１００を取外すとき、若干の力を要する。しかしながら、カード１００を取外した後は、イジェクト機構３０は、圧縮コイルバネ３７の作用により自動的に当初位置に戻っている。したがって、イジェクト機構３０を戻す手間が省けるとともに、戻し忘れにより、操作部３３が何かに引っ掛かったり、引っ掛けられたりすることがなく、それにより、操作部３３が損傷したり、コネクタ１Ａがひいては電子機器が損傷することもない。
【００２８】
（第３の実施例）
図５〜７には、本発明の第３の実施例に係る手差しコネクタ１Ｂが示されている。本実施例における手差しコネクタ１Ｂは、上記第１の実施例のコネクタ１において、イジェクト・レバー３１に形成されるガイド・スリット３５の前端とベース部材２０の適宜位置に形成され、ガイド・スリット３５に嵌合しているガイド突起２８との間に弾性部材としての圧縮コイルバネ３８が設けられていることを特徴とする。言い換えれば、本実施例における手差しコネクタ１Ｂは、ガイド・スリット３５、ガイド突起２８及び圧縮コイルバネ３８が設けられている点でのみ第１の実施例のコネクタ１と相違し、その他の点は第１の実施例の構造と全く同じである。
【００２９】
ガイド・スリット３５は、イジェクト・レバー３１のほぼ長手方向中心軸に沿って前後方向（カード挿抜方向）に延在するとともに、イジェクト・レバー３１を上下方向に貫通している。ガイド・スリット３５は、また、右側壁２３に平行になるように形成されている。ガイド突起２８が、ベース部材２０の底壁２１から上方に向けて突出形成され、イジェクト・レバー３１のガイド・スリット３５内に嵌合している。ガイド突起２８は、イジェクト・レバー３１の前後方向の移動を案内し得る。したがって、本実施例においては、ガイド壁２５を省略することが可能であり、それにより、ガイド壁２５の幅分コネクタ１Ｂの幅を小さくすることが可能となる。
【００３０】
弾性部材としての圧縮コイルバネ３８は、イジェクト・レバー３１に形成されているガイド・スリット３５の前端とガイド突起２８との間に配置され、第２の実施例と同様、イジェクト機構３０を前方向（カード挿入方向）に付勢している。したがって、イジェクト機構３０を構成するイジェクト・アーム３２は、圧縮コイルバネ３８により、常に、ベース部材２０の前壁２４に当接するように付勢されている。なお、２１ａは、ガイド・スリット３５の前端とガイド突起２８との間に配置される圧縮コイルバネ３８が載置され、位置決めされる、底壁２１に設けられた凹部である。
【００３１】
ここで、本実施例における手差しコネクタ１Ｂへのカード１００の装着、取り外しについて簡単に説明する。
【００３２】
コネクタ１Ｂは、カード１００が装着されていない場合、図７に示されるように、イジェクト機構３０は、該イジェクト機構３０を構成するイジェクト・アーム３２がベース部材２０の前壁２４に当接している当初状態に自動的に戻っている。
【００３３】
図７の状態において、カード１００をカード挿入口５から挿入し、図５に示されるように、カード１００の装着を完了するまでの動作は、第１の実施例と全く同じである。
【００３４】
図５に示される状態からカード１００を取外すには、イジェクト・レバー３１の操作部３３の突出端部を掴み、図６に示されるように、圧縮コイルバネ３８の付勢力に抗して段部３４がストッパ壁２６に当接するまでイジェクト・レバー３１を引き出す。
【００３５】
図６に示される状態において、操作部３３から手を放すと、該操作部３３を含むイジェクト機構３０は当初位置に戻る。カード１００は、図６に示される位置に残っている。図６の位置にあるカード１００の後端部を手で掴んでコネクタ１から引き出すことで、カード１００のコネクタ１からの取り外しが完了する。
【００３６】
本実施例の手差しコネクタ１Ｂは、圧縮コイルバネ３８が設けられていることにより、上記第２の実施例の手差しコネクタ１Ａと同様の作用効果を奏する。すなわち、イジェクト機構３０が圧縮コイルバネ３８の作用により自動的に当初位置に戻り、イジェクト機構３０を戻す手間が省ける。したがって、イジェクト機構３０の戻し忘れにより、操作部が何かに引っ掛かったりすることがなく、それにより、操作部３３が損傷したり、コネクタ１Ａがひいては電子機器が損傷することもない。
【００３７】
さらに、圧縮コイルバネ３８は、イジェクト・レバー３１に形成されたガイド・スリット３５内に配置されるので、圧縮コイルバネ３８の外径は、第２の実施例にける圧縮コイルバネ３７と比べて小さくて済み、その分コネクタ１Ｂの厚さや幅を小さくすることが可能となる。
【００３８】
また、上記したように、ガイド・スリット３５及びガイド突起２８がイジェクト・レバー３１を案内する作用を有するので、場合により、ガイド壁２６を省略でき、その分コネクタ１Ｂの幅を小さくすることができる。
【００３９】
（第４の実施例）
図８及び図９には、本発明の第４の実施例に係る手差しコネクタ１Ｃが示されている。本実施例における手差しコネクタ１Ｃは、上記第３の実施例のコネクタ１Ｂの変形例である。すなわち、本実施例における手差しコネクタ１Ｃは、装着されるＩＣカード２００の形状が上記第３の実施例と異なることに対応してその構成を変更している。
【００４０】
図８、９に示されるように、本実施例に係る手差しコネクタ１Ｃは、第１の実施例と同様に、扁平な直方体をなし、カバー部材（不図示）、ベース部材２０、イジェクト機構３０及び複数のコンタクト５０を備えている。手差しコネクタ１Ｃは、カバー部材と、ベース部材２０とで、メモリカードなどのＩＣカード２００を収容するカード収容空間を形成するとともに、後方がカード挿入口５として開放されている。
【００４１】
カバー部材の構成は、第１の実施例とほぼ同じであり、説明を省略する。
【００４２】
ベース部材２０は、第１の実施例と同様に、上方及び後方が開放されている筐体をなし、概略矩形状の底壁２１、該上壁２１から垂直方向上方に延在する左右の側壁２２、２３及び前壁２４を含んでいる。上記したように、ベース部材２０は、カバー部材と重ね合わせることにより、メモリカードなどのＩＣカード２００を収容するカード収容空間を形成する。
【００４３】
本実施例においても、ベース部材２０の底壁２１には、後端から前方に向けて後述するイジェクト機構３０のイジェクト・レバー３１の前後方向の移動を案内する第１のガイド壁２５が延在している。該第１のガイド壁２５は、第１の実施例におけるガイド壁２５と同じであり、イジェクト機構３０を案内する。また、該第１のガイド壁２５と右側壁２３との間であって、底壁２１後端には、イジェクト・レバー３１の抜けを防止するストッパ壁２６が設けられている。ストッパ壁２６には、イジェクト・レバー３１の操作部３３が貫通するスリット２７が形成されている。
【００４４】
さらに、本実施例では、底壁２１に、前壁２４から後方に延びる第２のガイド壁２４ｃが形成されている。第２のガイド壁２４ｃは、装着されるＩＣカード２００の形状に対応して、設けられており、図９に示されるように、ＩＣカード２００先端部をカード収容空間の所定位置に案内するとともに、第１のガイド壁２５と同様に、イジェクト機構３０を案内する。また、後述するイジェクト機構３０を構成するイジェクト・レバー３１に形成されているガイド・スリット３５Ａに嵌合する概略矩形状の突起２８Ａが底壁２１及び右側壁２３から突出形成されている。また、底壁２１には、ＩＣカード２００の外部接点に対応して複数のコンタクト５０が支持されている。
【００４５】
イジェクト機構３０は、本実施例でも、概略、イジェクト・レバー３１及び該イジェクト・レバー３１と一体に形成されるイジェクト・アーム３２Ａを含んでいる点で上記第１ないし第３の実施例と同じである。本実施例におけるイジェクト機構３０は、図８及び９に示されるように、イジェクト・アーム３２Ａがイジェクト・レバー３１の先端部ではなく概略中間部に形成されている点で上記第１ないし第３の実施例と異なる。
【００４６】
本実施例におけるイジェクト・レバー３１には、第３の実施例におけるガイド・スリット３５と異なり、右側壁２３側が開放されているガイド・スリット３５Ａが形成されている。弾性部材としての圧縮コイルバネ３８は、ガイド・スリット３５Ａの前端と矩形状突起２８Ａとの間に配置され、イジェクト・レバー３１をカード挿入方向に付勢する。
【００４７】
本実施例においても、イジェクト・レバー３１には、段部３４が形成され、該段部３４から後方には、細長く延びる操作部３３が設けられている。イジェクト・レバー３１は、ベース部材２０の右側壁２３に沿って前後方向（カード挿抜方向）に移動可能にベース部材２０の底壁２１に設けられた第１のガイド壁２５及び第２のガイド壁２４ｃと右側壁２３との間に配置される。
【００４８】
イジェクト・アーム３２Ａは、傾斜壁３２Ｂを有し、装着されるカード２００に形成される傾斜面２０１に当接することで、カード２００を装着位置から後方に移動させ、コネクタ１からカードを容易に取り外すことを可能にする部材である。また、本実施例におけるイジェクト・アーム３２Ａは、カード２００の傾斜面２０１と当接する傾斜壁３２Ａを備えることで、カード２００の逆差しを防止するための部材としても機能する。
【００４９】
本実施例では、図９から理解されるように、イジェクト・アーム３２Ｂは、イジェクト・レバー３１の前後端の間のほぼ中間位置に、イジェクト・レバー３１に対してほぼ直角をなし、カード収容空間内にまで延在するように設けられている。本実施例では、イジェクト・アーム３２Ａは、装着されるＩＣカード２００の形状に即してこの位置に設けられている。したがって、イジェクト・アーム３２Ａは、カードが装着されているときは、ＩＣカード２００の傾斜面２０１及び第２のガイド壁２４ｃの後端に当接するように設けられている。
【００５０】
イジェクト機構３０は、図８に示される当初位置またはＩＣカード２００が装着されている位置にあるとき、イジェクト・レバー３１の前端がベース部材２０の前壁２４に当接するように構成されていることが好ましい。また、イジェクト機構３０が当初位置またはカードが装着されている位置にあるとき、イジェクト・レバー３１の操作部３３の後端部がストッパ壁２６のスリット２７を貫通してコネクタ１のカード収容空間後端から突出するように、その全体の長さが設定される。さらに、イジェクト機構３０が図８に示される当初位置にあるとき、イジェクト・レバー３１の段部３４とストッパ壁２６との間隔は、イジェクト・レバー３１の前後方向の移動距離とほぼ同じであるように設定される。言い換えれば、本実施例においても、操作部３３を掴んで後方に引き出すことにより、イジェクト機構３０は、図９に示されるように、イジェクト・レバー３１の段部３４がストッパ壁２６に当接するまで、図８に示される当初位置から後方に移動可能である。また、イジェクト・レバー３１のガイド・スリット３５Ａに嵌合している矩形状突起２８Ａは、イジェクト・レバー３１が当初位置にあるとき、イジェクト・レバー３１のガイド・スリット３５Ａの後端に当接するように設けられることが好ましい。
【００５１】
以上の構成を備える本実施例における手差しコネクタ１Ｃは、上述した第３の実施例における手差しコネクタ１Ｂとほぼ同じ作用効果を奏し得る。
【図面の簡単な説明】
【００５２】
【図１】本発明に係る手差しコネクタの第１の実施例を示し、該手差しコネクタの概略斜視図である。
【図２】図１の手差しコネクタにおいて、板金カバーが取り除かれた状態を示す概略斜視図である。
【図３】板金カバーが取り除かれた図１に示される手差しコネクタの概略上面図である。
【図４】本発明に係る手差しコネクタの第２の実施例を示し、図３と同様に、板金カバーが取り除かれた手差しコネクタの概略上面図である。
【図５】本発明に係る手差しコネクタの第３の実施例を示し、該コネクタにカードが装着されている状態にあって、板金カバーが取り除かれた手差しコネクタの概略上面図である。
【図６】図５に示されるコネクタにおいて、カードが手差しコネクタから取り出されている途中の状態にあって、板金カバーが取り除かれた手差しコネクタの概略上面図である。
【図７】図５に示されるコネクタにおいて、カードが手差しコネクタから取り外された状態にあって、板金カバーが取り除かれた手差しコネクタの概略上面図である。
【図８】本発明に係る手差しコネクタの第４の実施例を示し、該コネクタからカードが取り外された状態にあって、板金カバーが取り除かれた手差しコネクタの概略上面図である。
【図９】図８に示されるコネクタにおいて、カードが手差しコネクタから取り出されている途中の状態にあって、板金カバーが取り除かれた手差しコネクタの概略上面図である。
【符号の説明】
【００５３】
１、１Ａ、１Ｂ、１Ｃ  手差しコネクタ
１０                  カバー部材
２０                  ベース部材
３０                  イジェクト機構
３１                  イジェクト・レバー
３２、３２Ａ          イジェクト・アーム
３５、３５Ａ          ガイド・スリット
３７、３８            圧縮コイルバネ（弾性部材）
５０                  コンタクト
１００、２００        ＩＣカード
【図１】
2008277194.tif 000003
【図２】
2008277194.tif 000004
【図３】
2008277194.tif 000005
【図４】
2008277194.tif 000006
【図５】
2008277194.tif 000007
【図６】
2008277194.tif 000008
【図７】
2008277194.tif 000009
【図８】
2008277194.tif 000010
【図９】
2008277194.tif 000011